(57)【特許請求の範囲】
【請求項１】
内障子の召合せ框にハンドルおよび掛け部を有するクレセント錠を設け、外障子の召合せ框に上記掛け部が係合するクレセント受けを設け、上記クレセント錠の掛け部を含む回動側に、該回動側の回動でクレセント受けに当接するか否かにより上記内障子および外障子が正常閉鎖位置にあるか否かを感知し、正常閉鎖位置にあるときにのみ上記ハンドルの施錠方向への回動を許容すると共に施錠位置でハンドルが解錠方向へ回動しないように自動的にロックする回動制御機構を設けたことを特徴とするサッシ。
【請求項２】
内障子の召合せ框にハンドルおよび掛け部を有するクレセント錠を設け、外障子の召合せ框に上記掛け部が係合するクレセント受けを設け、上記掛け部を含む回動側に係止部を設けると共に、固定側に回動側の施錠方向への回動により上記係止部が解錠位置で施錠方向へ回動しないように係合する第１係合部および施錠位置で解錠方向へ回動しないように係合する第２係合部を設け、上記回動側に該回動側の回動でクレセント受けに当接することにより上記内障子および外障子が正常閉鎖位置にあることを感知して上記係止部と第１係合部の係合を解除する感知部を設けたことを特徴とするサッシ。
【請求項３】
上記感知部が押されることにより上記係止部と上記第２係合部の係合が解除されるように構成されていることを特徴とする請求項２に記載のサッシ。
【発明の詳細な説明】
【０００１】
【発明の属する技術分野】
本発明は、クレセント錠を備えたサッシに係り、特に内障子および外障子が正常閉鎖位置にあるときにのみクレセント錠の施錠操作が行なえ、かつ施錠位置で自動ロックするようにしたサッシに関する。
【０００２】
【従来の技術】
一般に、引き違い窓等のサッシにおいては、防犯等の目的で内障子と外障子を互に閉鎖位置で固定するクレセント錠が装備されている。このクレセント錠は、内障子の召合せ框に設けられ、ハンドルの回動により回動しつつ延出する掛け部（クレセントともいう）を有し、外障子の召合せ框には上記掛け部が係合するクレセント受け（受け金具ともいう）が設けられている。
【０００３】
また、上記クレセント錠においては、更に防犯機能を高めるために、ハンドルを施錠位置まで回動させたときに解錠方向へ回動しないようにロックする手動式あるいは自動式のロック機構を設けたものが種々提案されている（実開昭５２−９８７００号公報、実開平７−４０９４８号公報等参照）。
【０００４】
【発明が解決しようとする課題】
しかしながら、上述したクレセント錠を備えたサッシにおいては、内障子および外障子が正常閉鎖位置にあるときだけでなく、正常閉鎖位置以外の不十分な閉鎖位置ないし開放位置にあるときでもクレセント錠のハンドルを施錠方向へ回動操作し、かつロックすることが可能であった。このため、ロックしたからといって必ずしも障子が確実に閉っているとは限らず、防犯機能が発揮されない場合があった。
【０００５】
また、内障子および外障子が正常閉鎖位置にないときに、ハンドルを施錠方向に回動し、かつロックした場合、その都度ロックを解除して施錠し直す必要があり、操作が煩わしいという問題があった。また、内障子および外障子が正常閉鎖位置にないままクレセント錠のハンドルを施錠方向へ回動し、掛け部が外障子側に延出したままの状態で内障子や外障子を開閉すると、上記掛け部と外障子の縦框等が衝突して変形または損傷し、耐久性の低下を招く問題もあった。
【０００６】
本発明は、上記課題を解決すべくなされたもので、内障子および外障子が正常閉鎖位置にあるときにのみクレセント錠のハンドルを施錠方向に回動操作することができると共に自動ロックすることができるサッシを提供することを目的とする。
【０００７】
【課題を解決するための手段】
上記目的を達成するために本発明のうち請求項１に係るサッシは、内障子の召合せ框にハンドルおよび掛け部を有するクレセント錠を設け、外障子の召合せ框に上記掛け部が係合するクレセント受けを設け、上記クレセント錠の掛け部を含む回動側に、該回動側の回動でクレセント受けに当接するか否かにより上記内障子および外障子が正常閉鎖位置にあるか否かを感知し、正常閉鎖位置にあるときにのみ上記ハンドルの施錠方向への回動を許容すると共に施錠位置でハンドルが解錠方向へ回動しないように自動的にロックする回動制御機構を設けたことを特徴とする。
【０００８】
請求項２に係るサッシは、内障子の召合せ框にハンドルおよび掛け部を有するクレセント錠を設け、外障子の召合せ框に上記掛け部が係合するクレセント受けを設け、上記掛け部を含む回動側に係止部を設けると共に、固定側に回動側の施錠方向への回動により上記係止部が解錠位置で施錠方向へ回動しないように係合する第１係合部および施錠位置で解錠方向へ回動しないように係合する第２係合部を設け、上記回動側に該回動側の回動でクレセント受けに当接することにより上記内障子および外障子が正常閉鎖位置にあることを感知して上記係止部と第１係合部の係合を解除する感知部を設けたことを特徴とする。
【０００９】
請求項３に係るサッシは、請求項２に係るサッシにおいて、上記感知部が押されることにより上記係止部と上記第２係合部の係合が解除されるように構成されていることを特徴としている。
【００１０】
【実施の形態】
以下に、本発明の実施の形態を添付図面に基づいて詳述する。
【００１１】
図１においては、１は引き違い式のサッシで、建物の躯体の開口部に取り付けられる方形に組み立てられた枠体２を有している。この枠体２内には、内障子３と外障子４がスライド開閉可能に取り付けられている。内障子３および外障子４は、上框５ａ，６ａ、下框５ｂ，６ｂおよび両側の縦框５ｃ，５ｄ，６ｃ，６ｄにより方形に組み立てられた框体５，６の内側にガラス７を嵌めて構成されている。
【００１２】
上記内障子３の召合せ框５ｃには図２ないし図３にも示すようにハンドル８の回動操作により回動しつつ外障子４側に延出する掛け部９を有するクレセント錠１０が取り付けられ、外障子４の召合せ框６ｃには上記掛け部９が係合するクレセント受け１１が取り付けられている。上記掛け部９は、剛性を有する板材、好ましくは金属板からなる取付基板１２を有し、この取付基板１２の一部を略円弧状に折り曲げ加工して形成されている。上記クレセント受け１１は、剛性を有する板材、好ましくは金属板からなり、先端が内障子３側にＵ字状に折り曲げられ、且つ上記掛け部９が係合しやすいように断面円弧状に加工された受部１３を有している。
【００１３】
上記クレセント錠１０には、上記内障子３および外障子４が正常閉鎖位置にあるか否かを感知し、正常閉鎖位置にあるときにのみ上記ハンドル８の回動を許容すると共に施錠位置で自動的にロックする回動制御機構１４が設けられている。更に具体的には、上記クレセント錠１０の掛け部９を含む回動側に係止部１５が設けられると共に、固定側には上記係止部１５が解錠位置で係合する第１係合部１６および施錠位置で係合する第２係合部１７が設けられ、上記回動側には上記内障子３および外障子４が正常閉鎖位置にあることを感知して上記係止部１５と第１係合部１６の係合を解除する感知部１８が設けられている。すなわち、上記回動制御機構１４は、上記係止部１５、感知部１８、第１係合部１６および第２係合部１７により主に構成されており、これらの関連構成について以下に詳述する。
【００１４】
上記クレセント錠１０は、これを内障子３の召合せ框５ｃの端面に取り付けるための箱状の台座１９を有し、この台座１９には上記ハンドル８に設けられた回動軸２０を回動可能に支持する孔部２１が設けられている。上記ハンドル８の基部には、上記回動軸２０が直角に突設されており、この回動軸２０にはキー２２が突設されている。上記掛け部９の取付基板１２には、上記ハンドル８のキー２２を含む回動軸２０が嵌合するキー溝２３付きの嵌合穴２４が設けられ、取付基板１２を含む掛け部９がハンドル８と一体に回動するようになっている。また、上記台座１９には、上記回動軸２０のキー２２を収容し、このキー２２を介してハンドル８の回動を一定範囲、図示例では図７にも示すように下向きから上向きまでの略１８０度の範囲に規制する回動規制溝２５が設けられている。
【００１５】
上記掛け部９の取付基板１２とハンドル８には、支軸２６が嵌合する孔部２７，２８が設けられ、取付基板１２とハンドル８の間には、剛性を有する板材、好ましくは金属板からなる上記揺動体２９が支軸２６を介して揺動可能に取り付けられている。上記揺動体２９の一端には台座１６側へ突出した爪状の上記係止部（爪部ともいう）１５が形成され、揺動体２９の他端には上記クレセント受け１１、具体的にはクレセント受け１１の受部１３に当接される面状の上記感知部１８が形成されている。
【００１６】
上記揺動体２９の支軸２６には、上記係止部１５を取付基板１２の一部に当接させ、上記感知部１８を掛け部９の始端側に保持するように付勢する復帰バネ３０が取り付けられている。また、固定側である上記台座１９には、ハンドル８を下向きの解除位置イから施錠方向へ所定角度（感知部１８がクレセント受け１１の受部１３に当接するのに必要な回動角度、例えば７０度程度）回動すると、上記揺動体２９の係止部１５が係合して、ハンドル８のそれ以上の回動を阻止する凹状の上記第１係合部１６が設けられている（図４参照）。
【００１７】
一方、上記揺動体２９は、内外の障子３，４が正常閉鎖位置にあるときにハンドル８を解錠位置イから施錠方向へ回動すると、感知部１８がクレセント受け１１の受部１３に当接し、更に復帰バネ３０の付勢力に抗して支軸２６を支点に掛け部９の内側後方へ倒れ、その反力ないし反作用で係止部１５が取付基板１２および上記第１係合部１６から離反され、回動阻止が解除されるようになっている。上記回動阻止が解除されることにより、ハンドル８を上向きの施錠位置ロまで回動することができる（図５参照）。
【００１８】
上記台座１９には、上記第１係合部１６から離反された係止部１５を上記感知部１８が倒れた状態を維持するように案内する円弧状の案内部３１が設けられている。この案内部３１の終端側には、上記係止部１５が施錠位置ロで係合し、ハンドル８が解錠方向へ回動しないようにロックするための凹状の第２係合部１７が設けられている。これにより、ハンドル８を施錠位置ロまで回動すると、上記係止部１５が第２係合部１７に係合し、施錠位置ロに自動的にロックされるようになっている。上記台座１９の内部において、上記ハンドル８の回動軸２０の端部には、図７に示すように抜け止め用の端板３２がネジ３３で取り付けられ、この端板３２にはハンドル８の回動に伴ってハンドル８を解錠位置イ方向もしくは施錠位置ロ方向へ選択的に付勢するバネ３４が取り付けられている。
【００１９】
次に、以上のように構成されたサッシの作用について述べる。通常、クレセント錠１０は、内障子３および外障子４を閉鎖してから施錠するのであるが、内障子３および外障子４の閉鎖が不十分な状態、或いは内障子３や外障子４が開放された状態で誤って施錠操作を行なってしまう場合がある。このような場合、クレセント錠１０のハンドル８を図４の（ａ）、（ｂ）に示すように解錠位置イから施錠方向に回動操作すると、感知部１８がクレセント受け１１の受部１３に当接しないため、揺動体２９の係止部１５が台座１９側の第１係合部１６に係合し、ハンドル８の回動が阻止される。従って、ハンドル８をそれ以上施錠方向へ回動することができないため、誤って施錠を行なうことが未然に防止され、また自動ロックされることもない。
【００２０】
また、ハンドル８を解放すると、ハンドル８がバネ３４によって解除位置イに自動的に戻るため、クレセント錠１０の掛け部９が施錠方向に延出したままになることがない。従って、その後、内障子３や外障子４を開閉しても、上記掛け部９と外障子４の縦框６ｄ等が衝突して変形または損傷するようなことはなく、耐久性の向上が図れる。
【００２１】
一方、上記内障子３および外障子４が正常閉鎖位置にある場合には、図５の（ａ）、（ｂ）に示すようにクレセント錠１０のハンドル８を解錠位置イから施錠方向へ回動操作すると、上記ハンドル８の回動に伴って掛け部９および揺動体２９の感知部１８がクレセント受け１１に接近し、更に図５の（ｃ）に示すように感知部１８がクレセント受け１１の受部１３に当接して復帰バネ３０の付勢力に抗して支軸２６を支点に倒れ、その反力ないし反作用で揺動体２９の係止部１５が台座１９側の第１係合部１６から離反する。
【００２２】
従って、上記揺動体２９の係止部１５が第１係合部１６に係合せず、図５の（ｄ）に示すようにハンドル８をそのまま施錠位置ロまで回動することが可能となり、掛け部９をクレセント受け１１の受部１３に十分に係合させて確実に施錠することができる。また、上記第１係合部１６から離反した係止部１５はそのまま案内部３１に沿って案内された後、施錠位置ロで第２係合部１７に係合して自動ロックされるため、図６に示すようにハンドル８を解錠方向へ回動しようとしても、それ以上回動することができない。
【００２３】
クレセント錠１０を解錠する場合には、揺動体１９の感知部１８を図６の矢印Ｆで示すように指等で押して係止部１５を第２係合部１７から離反させることによりロックを解除し、ハンドル８を解錠方向へ回動操作すればよく、上記とは逆の順序で掛け部９および揺動体２９の感知部１８がクレセント受け１１から離反され、感知部１８がクレセント受け１１の受部１３に引っ掛かることがなく、確実且つ容易に解錠することができる。
【００２４】
このように上記サッシによれば、クレセント錠１０のハンドル８の回動を利用して内障子３と外障子４が正常閉鎖位置にあるか否かを感知することができ、正常閉鎖位置にあるときにのみハンドル８を施錠方向に十分に回動させて確実に施錠することができると共に自動ロックすることができる。このため、ロック状態では必ず障子が確実に閉っているため、防犯機能が確実に発揮される。また、内障子３および外障子４が正常閉鎖位置にないときには、ハンドル８を施錠方向に回動することができず、自動ロックすることもないので、正常閉鎖位置では直ちに施錠操作を行なうことができ、操作性がよい。
【００２５】
なお、従来のクレセント錠においては、外障子側へ突出した状態でハンドルの回動を阻止している突出部（感知部）を有し、内障子および外障子を閉鎖したときに上記突出部が外障子の召合せ框に接触して没入することによりハンドルの回動阻止状態が解除されるようにしたものも提案されている（例えば、実公昭５７−５２３０３号公報等参照）。しかしながら、このようなクレセント錠を備えた従来のサッシは、感知部である突出部が常時突出していて障子の開閉の度に外障子の縦框等と接触するため、摩耗損傷を受け易く、耐久性の低下を招き易い。これに対して、本実施の形態のサッシにおいては、感知部１８は、クレセント錠１０の回動側である掛け部９の始端側に配置されており、施錠時にのみ掛け部９と共に外障子４側へ延出される構造であるため、摩耗損傷を受けにくく、耐久性の向上が図れる。
【００２６】
図８〜図１１は、クレセント錠の他の例を示している。上述したクレセント錠と同一部分には同一参照符合を付してその部分の説明は省略する。図示するようにこのクレセント錠１０は、その掛け部９を含む回動側に、上記揺動体２９に代わる摺動体３５を備えている。この摺動体３５には、ハンドル８のキー２２を含む回動軸２０に径方向の一方向に摺動可能に嵌合する長穴３６が設けられている。また、摺動体３５の摺動方向一端には、掛け部９の始端側に位置される山形カム状の感知部１８が形成され、摺動体３５の他端に上記係止部１５が形成されている。上記ハンドル８には、摺動体３５の他端を上記感知部１８が掛け部９の始端に当接する方向へ付勢する復帰バネ３７が取り付けられている。
【００２７】
上記クレセント錠１０においては、内障子３および外障子４が正常閉鎖位置にない場合に、ハンドル８を図の（ａ）、（ｂ）に示すように解錠位置イから施錠方向に回動操作すると、摺動体３５の感知部１８がクレセント受け１１の受部１３に当接しないため、摺動体３５の係止部１５が台座側の第１係合部１６に係止され、ハンドル８の回動が阻止される。従って、ハンドル８をそれ以上施錠方向へ回動することができないため、誤って施錠操作を行なうことが未然に防止され、自動ロックされることもない。
【００２８】
一方、上記内障子３および外障子４が正常閉鎖位置にある場合には、図１０の（ａ）、（ｂ）に示すようにクレセント錠１０のハンドル８を解錠位置イから施錠方向へ回動操作すると、上記ハンドル８の回動に伴って掛け部９および摺動体３５の感知部１８がクレセント受け１１に接近し、更に図１０の（ｃ）に示すように感知部１８がクレセント受け１１の受部１３に当接して復帰バネ３７の付勢力に抗して押し込まれ、その反力ないし反作用で摺動体３５の係止部１５が台座１９側の第１係合部１６から離反する。
【００２９】
これにより、上記摺動体３５の係止部１５が第１係合部１６に係合されないため、図１０の（ｄ）に示すようにハンドル８をそのまま施錠位置ロまで回動することが可能となり、掛け部９をクレセント受け１１に十分に係合させて確実に施錠することができると共に、上記係止部１５が第２係合部１７に係合して自動ロックすることができる。このロックを解除して解錠するには、図１１に矢印Ｆで示すように感知部１８を指等でおして係止部１５と第２係合部１７の係合を解除し、ハンドル８を解錠方向へ回動すればよい。従って、本例のサッシにおいても、上述したサッシと同様の作用効果が得られる。
【００３０】
以上、本発明の実施の形態を図面により詳述してきたが、本発明は上記実施の形態に限定されるものではなく、本発明の要旨を逸脱しない範囲での種々の設計変更等が可能である。例えば、上記実施の形態では、内外２枚の障子を有するサッシが例示されているが、本発明は３枚以上複数枚の障子を有するサッシにも適用可能である。
【００３１】
【発明の効果】
以上要するに本発明によれば、次のような優れた効果が得られる。
【００３２】
（１）請求項１に係るサッシによれば、クレセント錠の掛け部を含む回動側に、該回動側の回動でクレセント受けに当接するか否かにより内障子および外障子が正常閉鎖位置にあるか否かを感知し、正常閉鎖位置にあるときにのみ上記ハンドルの施錠方向への回動を許容すると共に施錠位置でハンドルが解錠方向へ回動しないように自動的にロックする回動制御機構を設けているため、内障子および外障子が正常閉鎖位置にあるときにのみクレセント錠のハンドルを施錠方向に回動操作することができると共に自動ロックすることができ、防犯性、操作性および耐久性の向上が図れる。
【００３３】
（２）請求項２に係るサッシによれば、クレセント錠の掛け部を含む回動側に係止部を設けると共に、固定側に回動側の施錠方向への回動により上記係止部が解錠位置で施錠方向へ回動しないように係合する第１係合部および施錠位置で解錠方向へ回動しないように係合する第２係合部を設け、上記回動側に該回動側の回動でクレセント受けに当接することにより上記内障子および外障子が正常閉鎖位置にあることを感知して上記係止部と第１係合部の係合を解除する感知部を設けているため、クレセント錠のハンドルの回動を利用して内障子と外障子が正常閉鎖位置にあるか否かを感知することができ、正常閉鎖位置にあるときにのみクレセント錠のハンドルを施錠方向に十分に回動させて確実に施錠することができると共に自動ロックすることができるようになる。
【００３４】
（３）請求項３に係るサッシによれば、上記感知部が押されることにより上記係止部と上記第２係合部の係合が解除されるように構成されているため、簡単な操作で自動ロックを容易に解除することができる。
【図面の簡単な説明】
【図１】本発明を適用したサッシを室内側から見た正面図である。
【図２】図１のＡ−Ａ線拡大断面図である。
【図３】図２に示されたクレセント錠の分解斜視図である。
【図４】クレセント錠の作動を説明する説明図である。
【図５】クレセント錠の作動を説明する説明図である。
【図６】クレセント錠のロック状態を説明する説明図である。
【図７】クレセント錠の台座部の背面図である。
【図８】クレセント錠の他の例を示す分解斜視図である。
【図９】図８のクレセント錠の作動を説明する説明図である。
【図１０】クレセント錠の作動を説明する説明図である。
【図１１】クレセント錠のロック状態を説明する説明図である。
【符号の説明】
１  サッシ
３  内障子
４  外障子
５ｃ  内障子の召合せ框
６ｃ  外障子の召合せ框
８  ハンドル
９  掛け部
１０  クレセント錠
１１  クレセント受け
１４  回動制御機構
１５  係止部
１６  第１係合部
１７  第２係合部
１８  感知部
【図１】
0003650196.tif 000002
【図２】
0003650196.tif 000003
【図３】
0003650196.tif 000004
【図４】
0003650196.tif 000005
【図５】
0003650196.tif 000006
【図６】
0003650196.tif 000007
【図７】
0003650196.tif 000008
【図８】
0003650196.tif 000009
【図９】
0003650196.tif 000010
【図１０】
0003650196.tif 000011
【図１１】
0003650196.tif 000012